(57)【要約】【課題】垂直方向へのコマ収差（ＶＣＲ）補正を行うことができるのみならず、部品点数や生産時の組み立て工程数を少なくしてコストダウンを図ることが可能な偏向ヨークを提供する。【解決手段】インライン型の電子銃１０４を有するカラー受像管のネック部１０４Ａに取り付けられ、一対の水平偏向コイル６１、６２と、該水平偏向コイルの外側に配置された一対の垂直偏向コイル７１、７２とを有する偏向ヨークにおいて、前記１対の垂直偏向コイルの外側に、水平偏向軸を対称軸として、前記一対の垂直偏向コイル間に掛け渡されるように設けられた一対の円弧状の磁性片８Ａ、８Ｂを有する。これにより、部品点数や生産時の組み立て工程数を少なくして、且つＶＣＲ補正を行う。【選択図】図１
2007095554.tif 000002
【特許請求の範囲】
【請求項１】
インライン型の電子銃を有するカラー受像管のネック部に取り付けられ、一対の水平偏向コイルと、該水平偏向コイルの外側に配置された一対の垂直偏向コイルとを有する偏向ヨークにおいて、
前記１対の垂直偏向コイルの外側に、水平偏向軸を対称軸として、前記一対の垂直偏向コイル間に掛け渡されるように設けられた一対の円弧状の磁性片を有することを特徴とする偏向ヨーク。
【発明の詳細な説明】
【技術分野】
【０００１】
本発明は、テレビジョン受像機やディスプレイ装置などのカラー受像管（以下、「ＣＲＴ」とも称す）に用いられる偏向ヨークに関するものである。
【背景技術】
【０００２】
複数の電子銃をインライン状に配列したインライン型カラー受像管を用いた画像表示装置は、水平偏向軸に沿って一列に並んだインライン電子銃から発せられるＲ（赤）、Ｇ（緑）、Ｂ（青）の３本の電子ビームを偏向ヨークによって水平および垂直方向に偏向することで画面を形成する。もちろん、３本の電子ビームは蛍光面上で一点に集中しなければならないが、一般的に画面中央とその他の部分では偏向中心からの距離が異なるため、ビームの集中度が画面の部位によって変わり、コンバーゼンスのズレが発生する。これを改善するために提案されたのがセルフコンバーゼンス補正を具備した偏向ヨークである。これは、上下一対の水平偏向コイルと、左右一対の垂直偏向コイルを有している。そして、水平偏向コイルによる水平偏向磁界分布を全体としてピンクッション形とし、垂直偏向コイルによる垂直偏向磁界分布をバレル形となるように構成することにより、理論的にはコンバーゼンスのズレをゼロとすることができる偏向ヨークである。
【０００３】
しかしながら実際には、陰極線管の構造、偏向ヨークの構造上の制約や製造バラツキがあり、理論通りの特性を得ることは困難である。従って、現実には種々の態様のコンバーゼンスのズレ（以下、「ミスコンバーゼンス」とも称す）が発生する。
セルフコンバーゼンス方式の磁界分布において、３つの電子ビームのセンタービームのラスターが内側へずれることをコマ収差と呼び、垂直方向のコマ収差をＶＣＲと言う。このＶＣＲのコンバーゼンスパターンを図５に示す。図５はスクリーン上のＶＣＲのコンバーゼンスパターンを示す図であり、Ｒ及びＢ線は同一線上に重なっているのに対して、Ｇ線がそれらの線から外れた位置に表示されている。このＶＣＲは垂直偏向コイルの磁界分布のみでは修正が困難である。そこで、このＶＣＲを補正するために、一般的には付加コイルとしてコマコイルを用いて良好なコンバーゼンス特性を得る仕組みになっている（例えば特許文献１）。
【０００４】
図６は偏向ヨークのネック部に取り付けたコマコイルを示す外観図である。図６において、垂直偏向コイル７１、７２の外周にコア９が設けられており、この垂直偏向コイル７１、７２の基端部であるネック部に、これに直交するようにベース板２を設けている。そして、このベース板２に互いに対向するように配置して一対のコマコイル４、６を取り付けている。一般的に、コマコイル４、６はコ字状コア１１、１２に電線２１、２２をそれぞれ巻回することにより形成されており、上下一対を偏向ヨークのネック部に取り付けている。
【０００５】
図７は偏向ヨークのネック部をＣＲＴスクリーン側から見た図である。図７において、コマコイル６の対向方向がＹ方向であり、これに直交する方向がＸ方向である。ＣＲＴの上側への偏向時には、上記コ字状コア１１、１２の各電線２１、２２に矢印３１、３２に示すような方向に垂直偏向電流を流す。この時、各コ字状コア１１、１２からはピンクッション磁界１１Ａ、１２Ａがそれぞれ発生し、このピンクッション磁界１１Ａ、１２Ａにより、Ｂ、Ｇ、Ｒの各電子ビーム４１、４２、４３は図中の上方への力５１、５２、５３をそれぞれ受けて偏向される。この時、真中に位置するＧの電子ビーム４２は、両サイドに位置するＢ及びＲの電子ビーム４１、４３より強い力を受けることになり、これによって、図５に示すＶＣＲを補正することができる。すなわち、図５中においてＧ線をＲ／Ｂ線に一致させることができる。
【０００６】
【特許文献１】実開昭５３−１３４６２２号公報
【発明の開示】
【発明が解決しようとする課題】
【０００７】
ところで、上記したような一対のコマコイル４、６を設けるＶＣＲ補正構造は、ＶＣＲを補正することはできるが、上述したように、コ字状コア１１、１２への電線２１、２２の巻回作業、このコアコイル４、６の偏向ヨークへの取り付け作業、この配線作業等のように部品点数や生産時における組み立て工程数が増大し、コスト高を招来するのみならず、生産性を低下させる、という問題があった。
本発明は、以上のような問題点に着目し、これを有効に解決すべく創案されたものである。本発明の目的は、ＶＣＲ補正を行うことができるのみならず、部品点数や生産時の組み立て工程数を少なくしてコストダウンを図ることが可能な偏向ヨークを提供することにある。
【課題を解決するための手段】
【０００８】
請求項１に係る発明は、インライン型の電子銃を有するカラー受像管のネック部に取り付けられ、一対の水平偏向コイルと、該水平偏向コイルの外側に配置された一対の垂直偏向コイルとを有する偏向ヨークにおいて、前記１対の垂直偏向コイルの外側に、水平偏向軸を対称軸として、前記一対の垂直偏向コイル間に掛け渡されるように設けられた一対の円弧状の磁性片を有することを特徴とする偏向ヨークである。
【発明の効果】
【０００９】
本発明に係る偏向ヨークによれば、カラー受像管のネック部における垂直偏向コイルの外周（外側）に、この一対の垂直偏向コイル間に掛け渡されるようにし、且つ水平偏向軸を対称軸としてコンバーゼンス改善用の一対の円弧状の磁性片を設けるようにしたので、ＶＣＲ補正を行うことができるのみならず、部品点数や生産時の組み立て工程数を少なくしてコストダウンを図ることができる。
【発明を実施するための最良の形態】
【００１０】
以下に、本発明に係る偏向ヨークの一実施例を添付図面に基づいて詳述する。
図１は本発明に係る偏向ヨークを示す外観図、図２は本発明の偏向ヨークの主要部を示す斜視図、図３は磁性片の作用を説明するための偏向ヨークの部分拡大斜視図、図４は偏向ヨークの偏向時の磁性片の作用を説明する説明図であり、図４（Ａ）は上側偏向時の作用を示し、図４（Ｂ）は下側偏向時の作用を示す。
【００１１】
図１に示すように、この偏向ヨーク１０２は、インライン型の電子銃を有するカラー受像管１０４（図１中では一点鎖線で示す）の外周に沿って設けられる。このカラー受像管１０４の基端部はその径が順次絞られてネック部１０４Ａとなっており、その反対側の先端部は蛍光面よりなるスクリーン（図示せず）となっている。
このカラー受像管１０４の外周に設けられる上記偏向ヨーク１０２は、一対の水平偏向コイル６１、６２と、この上（外側）に略漏斗状の絶縁枠を介して重ねて設けられる一対の垂直偏向コイル７１、７２とを有する。図１では理解容易のために上記絶縁枠の記載は省略してある。当然のこととして、上記水平偏向コイル６１、６２と垂直偏向コイル７１、７２とは、その分割位置を９０度異ならせている。また上記垂直偏向コイル７１、７２の中央部の外周には、コア９が取り付けられている。また、図２に示すように、この垂直偏向コイル７１、７２の基端部は、フランジ状に略９０度の角度で外側へ折り曲げられてリアフランジベンドアップ部７１Ｙ、７２Ｙとして形成されている。ここで、このリアフランジベンドアップ部７１Ｙ、７２Ｙは、カラー受像管１０４の管軸方向に対して垂直な面となっている。
【００１２】
そして、上記垂直偏向コイル７１、７２の外周に、この一対の垂直偏向コイル７１、７２間に掛け渡されるようにし、且つ水平偏向軸（Ｘ軸）を対称軸としてコンバーゼンス改善用の一対の円弧状の本発明の特徴とする磁性片８Ａ、８Ｂを設けている。尚、図１乃至図３においては、一方の磁性片８Ａのみが示されている。
【００１３】
具体的には、上記カラー受像管１０４の管軸方向に沿った面である垂直偏向コイル７１、７２の側面部７１Ｚ、７２Ｚであって上記リアフランジベンドアップ部７１Ｙ、７２Ｙに接近した位置に、上記一対の磁性片８Ａ、８Ｂ（図４参照）が互いに対向するようにして設けられている。すなわち、上述したように、各磁性片８Ａ、８Ｂは、一対の垂直偏向コイル７１、７２管に形成される僅かな隙間を跨ぐようにして両垂直偏向コイル７１、７２間に掛け渡されている。この磁性片８Ａ、８Ｂとしては、例えば珪素鋼鈑等が用いられている。この磁性片８Ａ、８Ｂの大きさは、例えば長さ×幅が２４ｍｍ×５ｍｍ程度であるが、特にこの大きさに限定されるものではない。
【００１４】
次に、上述のように一対の磁性片８が取り付けられた偏向ヨークの動作について説明する。
図３はカラー受像管のネック部側の偏向ヨークの垂直偏向コイル７１、７２を拡大して示している。カラー受像管の画面の上方へ偏向させる時には、垂直偏向コイル７１、７２に流す電流は、垂直偏向コイル７１、７２の側面部７１Ｚ、７２Ｚにおいて矢印３１Ｚ、３２Ｚに示す方向にそれぞれ流れ、リアフランジベンドアップ部７１Ｙ、７２Ｙにおいては矢印３１Ｙ、３２Ｙに示す方向にそれぞれ流れる。
【００１５】
この時、矢印３１Ｚ、３２Ｚで示される方向に流れる各電流によって、側面部７１Ｚ、７２Ｚでは、その回りに磁界７１Ｚφ、７２Ｚφがそれぞれ発生し、この磁界７１Ｚφ、７２Ｚφが合成されて上記磁性片８Ａを矢印１００に示す方向に磁化させる。更に、リアフランジベンドアップ部７１Ｙ、７２Ｙにおいて矢印３１Ｙ、３２Ｙで示される方向に流れる各電流によってリアフランジベンドアップ部７１Ｙ、７２Ｙでは、その回りに磁界７１Ｙφ、７２Ｙφがそれぞれ発生し、この磁界７１Ｙφ、７２Ｙφが合成されて上記磁性片８Ａを矢印１００に示す方向へ更に磁化させる。
【００１６】
このように上記磁性片８Ａは、垂直偏向コイル７１、７２の側面部７１Ｚ、７２Ｚ及びリアフランジベンドアップ部７１Ｙ、７２Ｙに流れる電流によって相乗的に磁化される。従って、磁性片８Ａをリアフランジベンドアップ部７１Ｙ、７２Ｙにより近付けることにより、コンバーゼンス補正（改善）効果をより大きくすることができる。上記の磁性片８Ａに対する作用は、他方の磁性片８Ｂに対しても同様に生じている。
図４は図３に示す状況をより詳しく説明する図であり、垂直偏向コイル７１、７２と磁性片８Ａ、８Ｂをカラー受像管の画面側から見たＺ軸の断面図を示す。尚、ここでは水平偏向コイル等の他の部品の記載は省略している。
【００１７】
図４（Ａ）は上側への偏向時を示し、図４（Ｂ）は下側への偏向時を示している。上側への偏向時を示す図４（Ａ）において、垂直偏向コイル７１、７２により発生した磁界７１Ｚφ、７１Ｙφ、７２Ｚφ、７２Ｙφにより磁化された各磁性片８Ａ、８Ｂは、それぞれカラー受像管の中心軸側を周方向へ向かうようなピンクッション磁界８Ａφ、８Ｂφを発生する。
このピンクッション磁界８Ａφ、８Ｂφにより、３本の電子ビームの内のセンター（中央部）に位置するＧの電子ビーム４２は、その両サイドに位置するＢ及びＲの電子ビーム４１、４３よりも上方向へ強い力を受け、ＣＲＴの画面上で上方向へより大きく偏向されることになる。この結果、図５に示すような画面上においてＧ線を他のＲ線及びＢ線と同一の位置まで上方向へ偏向させてコマ収差（ＶＣＲ）を補正することができる。この点は、図４（Ｂ）に示すように下側への偏向時も同様である。
【００１８】
図４（Ｂ）に示す場合は、図４（Ａ）の場合と比較して、流れる電流の方向が逆方向になっており、従って、発生するピンクッション磁界８Ａφ、８Ｂφの方向も図４（Ａ）の場合とは逆方向になっている。従って、このピンクッション磁界８Ａφ、８Ｂφにより、３本の電子ビームの内のセンター（中央部）に位置するＧの電子ビーム４２は、その両サイドに位置するＢ及びＲの電子ビーム４１、４３よりも下方向へ強い力を受け、ＣＲＴの画面上で下方向へより大きく偏向されることになる。この結果、図５に示すような画面上においてＧ線を他のＲ線及びＢ線と同一の位置まで下方向へ偏向させてコマ収差（ＶＣＲ）を補正することができる。
【００１９】
上述のように、本発明の偏向ヨークは、円弧状の磁性片を垂直偏向コイルのネック部に取り付けることにより、従来のコマコイルを用いることなく、コマ収差（ＶＣＲ）を補正することが可能となり、偏向ヨークの部品点数及び組み立て工程数を削減し、低コストの偏向ヨークを提供することができる。
【図面の簡単な説明】
【００２０】
【図１】本発明に係る偏向ヨークを示す外観図である。
【図２】本発明の偏向ヨークの主要部を示す斜視図である。
【図３】磁性片の作用を説明するための偏向ヨークの部分拡大斜視図である。
【図４】偏向ヨークの偏向時の磁性片の作用を説明する説明図である。
【図５】スクリーン上のＶＣＲのコンバーゼンスパターンを示す図である。
【図６】偏向ヨークのネック部に取り付けたコマコイルを示す外観図である。
【図７】偏向ヨークのネック部をＣＲＴスクリーン側から見た図である。
【符号の説明】
【００２１】
８Ａ，８Ｂ…磁性片、１１，１２…コ字状コア、１１Ａ，１２Ａ…ピンクッション磁界、４１，４２，４３…電子ビーム、６１，６２…水平偏向コイル、７１，７２…垂直偏向コイル、７１Ｙ，７２Ｙ…リアフランジベンドアップ部、１０４…カラー受像管、１０４Ａ…ネック部。
【図１】
2007095554.tif 000003
【図２】
2007095554.tif 000004
【図３】
2007095554.tif 000005
【図４】
2007095554.tif 000006
【図５】
2007095554.tif 000007
【図６】
2007095554.tif 000008
【図７】
2007095554.tif 000009